(57)【特許請求の範囲】
【請求項１】
互いに高低異なった庫内設定温度が設定される複数の貯蔵室が設けられ、
各貯蔵室には、圧縮機を有する共通の冷凍装置と循環接続された冷却器と、庫内ファンと、庫内温度を検知する庫内温度センサとが個別に設けられるとともに、各冷却器への冷媒の流入口側には開閉弁が備えられており、
いずれか一の貯蔵室において、庫内温度センサで検知された庫内検知温度が対応する庫内設定温度の上限値に達したら圧縮機が運転状態とされ、
各貯蔵室では、庫内検知温度が対応する庫内設定温度の上限値に達したら開閉弁が開放されることにより冷却器の冷却動作を実行し、同庫内設定温度の下限値に達したら開閉弁を閉鎖することで冷却器の冷却動作を停止することを繰り返すことによって、庫内が対応する庫内設定温度に維持されるようになっており、
全貯蔵室の庫内検知温度がそれぞれ対応する庫内設定温度の下限値に達した場合には、圧縮機を停止しかつ全開閉弁を開放状態とするとともに、圧縮機の停止後は再起動までに所定の保護停止時間を設けた冷却貯蔵庫であって、
庫内設定温度が低い側の貯蔵室に配された庫内ファンについて、圧縮機の停止中は当該庫内ファンを運転し、かつ圧縮機の保護停止時間中に庫内検知温度が基準温度に上昇したときには同庫内ファンを停止するファン駆動制御装置が設けられていることを特徴とする冷却貯蔵庫。
【請求項２】
前記ファン駆動制御装置が、圧縮機の保護停止時間が経過して圧縮機が再起動したのちの所定時間は、庫内ファンを停止状態に留める機能を備えていることを特徴とする請求項１記載の冷却貯蔵庫。
【請求項３】
前記ファン駆動制御装置が、圧縮機の保護停止時間中に庫内検知温度が基準温度に上昇したときにおいて冷却器の温度と第１判断温度とを比較し、冷却器温度が第１判断温度よりも低い場合には庫内ファンの停止制御をキャンセルして運転を継続させる機能を備えていることを特徴とする請求項１または請求項２記載の冷却貯蔵庫。
【請求項４】
前記ファン駆動制御装置が、圧縮機の保護停止時間が経過して圧縮機が再起動する場合において冷却器の温度と第２判断温度とを比較し、冷却器温度が第２判断温度よりも低い場合には庫内ファンを所定時間停止させる制御をキャンセルして庫内ファンの運転を開始させる機能を備えていることを特徴とする請求項２または請求項３記載の冷却貯蔵庫。
【発明の詳細な説明】
【技術分野】
【０００１】
本発明は、単一の圧縮機により互いに設定温度が異なる貯蔵室を冷却する形式の冷却貯蔵庫に関する。
【背景技術】
【０００２】
この種の冷却貯蔵庫としては特許文献１に記載されたような冷凍冷蔵庫があり、一例として以下のような構成のものが提案されている。  
この冷凍冷蔵庫には、断熱的に区画された冷凍室（設定温度が低い）と冷蔵室（設定温度が高い）とが設けられ、各室には、圧縮機を有する共通の冷凍装置と循環接続された冷却器と、庫内ファンと、庫内温度を検知する庫内温度センサとが個別に設けられるとともに、各冷却器への冷媒の流入口側には開閉弁が備えられている。
【０００３】
そして、冷凍室と冷蔵室のいずれか一方において、庫内検知温度が対応する庫内設定温度の上限値に達したら圧縮機が運転状態とされ、各室では、庫内検知温度が対応する庫内設定温度の上限値に達したら、開閉弁が開放されて冷却器の冷却動作が実行されるとともに庫内ファンが運転されることで庫内が冷却され、経時後に庫内検知温度が庫内設定温度の下限値に達したら、開閉弁が閉鎖されて冷却器の冷却動作が停止されることで庫内が自然温度上昇することを繰り返すことにより、庫内が対応する庫内設定温度に維持されるようになっている。なお、温度上昇サイクルにおいても庫内ファンを例えば間欠運転する等によって、庫内の温度のばらつきを抑制するようにしている。  
また、冷凍室と冷蔵室のいずれも、庫内検知温度がそれぞれ対応する庫内設定温度の下限値に達した場合には圧縮機が停止される。そのとき、次回の圧縮機の起動がしやすいように両開閉弁は開かれるとともに、停止直後は、圧縮機の保護のために、３．５分程度の起動遅延時間（保護停止時間）が設けられている。
【先行技術文献】
【特許文献】
【０００４】
【特許文献１】特開２００８−２８６４７４号公報
【発明の概要】
【発明が解決しようとする課題】
【０００５】
上記した冷凍冷蔵庫において、冷凍室と冷蔵室の庫内温度が共に設定温度の下限値に達すると圧縮機が停止するのであるが、そのとき併せて両開閉弁が開放されるために、冷凍側の冷却器が冷蔵側の冷却器（冷媒）の影響を受けて温度上昇する嫌いがある。例えば、冷凍室の庫内設定温度が「−１８℃」であった場合にも、冷凍側の冷却器の温度が、冷蔵側の冷却器のそれに近い「−８℃程度」まで上昇する可能性もある。温度上昇サイクル中は庫内ファンが間欠運転されるため、庫内ファンが運転されるごとに冷却器付近の暖められた空気が冷凍室に送り込まれて、庫内が昇温される。
【０００６】
本来、冷凍室の庫内温度が設定温度の上限値まで上昇すれば、圧縮機が起動されるのであるが、上記したように圧縮機の停止直後は、保護停止時間（３．５分）が取られているために、その間に庫内温度のさらなる上昇が余儀なくされるという問題があった。  
本発明は上記のような事情に基づいて完成されたものであって、その目的は、圧縮機の停止中において庫内設定温度の低い側の貯蔵室が過度に温度上昇するのを防止するところにある。
【課題を解決するための手段】
【０００７】
本発明は、互いに高低異なった庫内設定温度が設定される複数の貯蔵室が設けられ、各貯蔵室には、圧縮機を有する共通の冷凍装置と循環接続された冷却器と、庫内ファンと、庫内温度を検知する庫内温度センサとが個別に設けられるとともに、各冷却器への冷媒の流入口側には開閉弁が備えられており、いずれか一の貯蔵室において、庫内温度センサで検知された庫内検知温度が対応する庫内設定温度の上限値に達したら圧縮機が運転状態とされ、各貯蔵室では、庫内検知温度が対応する庫内設定温度の上限値に達したら開閉弁が開放されることにより冷却器の冷却動作を実行し、同庫内設定温度の下限値に達したら開閉弁を閉鎖することで冷却器の冷却動作を停止することを繰り返すことによって、庫内が対応する庫内設定温度に維持されるようになっており、全貯蔵室の庫内検知温度がそれぞれ対応する庫内設定温度の下限値に達した場合には、圧縮機を停止しかつ全開閉弁を開放状態とするとともに、圧縮機の停止後は再起動までに所定の保護停止時間を設けた冷却貯蔵庫であって、庫内設定温度が低い側の貯蔵室に配された庫内ファンについて、圧縮機の停止中は当該庫内ファンを運転し、かつ圧縮機の保護停止時間中に庫内検知温度が基準温度に上昇したときには同庫内ファンを停止するファン駆動制御装置が設けられているところに特徴を有する。
【０００８】
全ての貯蔵室の庫内検知温度が庫内設定温度の下限値に達して圧縮機が停止したとき、庫内ファンは運転状態とされる。このとき全開放弁が開放されることから、低温側貯蔵室の冷却器が高温側貯蔵室の冷却器の影響を受けて温度上昇し、上記の庫内ファンの運転に伴い低温側貯蔵室が温度上昇する可能性がある。その結果、低温側貯蔵室の庫内温度が早期に庫内設定温度の上限値に達する可能性があるが、圧縮機の保護停止時間中に、低温側貯蔵室の庫内温度が基準温度に上昇したら、庫内ファンが停止される。これによりそれ以降の温度上昇が抑制される。保護停止時間の経過時に、庫内温度が庫内設定温度の上限値に達していたら、直ちに圧縮機が起動されるとともに庫内ファンの運転が再開されて冷却サイクルに入る。  
圧縮機の保護停止時間中に、低温側貯蔵室の庫内温度が基準温度まで上昇しなかった場合には、庫内ファンの停止制御は行われず運転状態が維持され、保護停止時間経過後において、庫内温度が庫内設定温度の上限値に達したところで、圧縮機が起動されるとともに圧縮機の運転時に対応した庫内ファンの運転が再開されて冷却サイクルに入る。
【０００９】
なお、圧縮機の保護停止時間中は、庫内ファンを停止することも考えられるが、そうすると庫内が撹拌されないために庫内温度の検知の信頼性に欠け、保護停止時間経過後に圧縮機を起動すべきか否かの判断が正確にできない。その結果、初めは庫内ファンを運転することで庫内検知温度の信頼性を確保でき、保護停止時間中に庫内温度が庫内設定温度の上限値に達すれば、保護停止時間経過後には直ちに圧縮機を起動して冷却すべきであると判断できる。よって、保護停止時間の少なくとも初めの期間では、庫内ファンの運転は必要である。  
すなわちこの発明によれば、圧縮機の再起動のタイミングの信頼性を担保した上で、圧縮機の停止中において庫内設定温度の低い側の貯蔵室が過度に温度上昇するのを防止することができる。
【００１０】
また、以下のような構成としてもよい。  
（１）前記ファン駆動制御装置が、圧縮機の保護停止時間が経過して圧縮機が再起動したのちの所定時間は、庫内ファンを停止状態に留める機能を備えている。  
圧縮機の保護停止時間の経過後であっても、低温側貯蔵室の冷却器は未だ高温である可能性があり、その状態で圧縮機を再起動し併せて庫内ファンを運転すると、低温側貯蔵室に高温空気が送られて温度上昇を招くおそれがある。そのため本発明では、圧縮機が再起動されて冷却サイクルに入ってからの所定時間は庫内ファンを停止するようにしたから、停止中に冷却器の冷却に専念させ、所定時間経過後におもむろに庫内ファンを運転することで、冷気のみを送り込むことができる。いわゆる予冷を行うことで、低温側貯蔵室の過度の温度上昇をより確実に防止できる。
【００１１】
（２）前記ファン駆動制御装置が、圧縮機の保護停止時間中に庫内検知温度が基準温度に上昇したときにおいて冷却器の温度と第１判断温度とを比較し、冷却器温度が第１判断温度よりも低い場合には庫内ファンの停止制御をキャンセルして運転を継続させる機能を備えている。  
冷却器の温度が上昇してもなお庫内温度よりも低いと考えられる場合は、庫内ファンを停止することなくその運転を継続し、すなわち相対的な冷気を送り込むことで低温側貯蔵室の温度上昇を抑制することに利用する。
【００１２】
（３）前記ファン駆動制御装置が、圧縮機の保護停止時間が経過して圧縮機が再起動する場合において冷却器の温度と第２判断温度とを比較し、冷却器温度が第２判断温度よりも低い場合には庫内ファンを所定時間停止させる制御をキャンセルして庫内ファンの運転を開始させる機能を備えている。
【００１３】
冷却器の温度が上昇してもなお庫内温度よりも低い場合には、圧縮機の保護停止時間が経過して圧縮機が再起動する場合において、庫内ファンを所定時間停止させるいわゆる予冷を行うことなく、庫内ファンを同時に運転する。これにより、早期に実質的な冷却サイクルに入ることができる。
【発明の効果】
【００１４】
本発明によれば、圧縮機の停止中において庫内設定温度の低い側の貯蔵室が過度に温度上昇するのを防止することができる。
【図面の簡単な説明】
【００１５】
【図１】本発明の実施形態１に係る冷凍冷蔵庫の内部構造を示す概略断面図
【図２】冷凍サイクルの構成体の斜視図
【図３】冷凍サイクルの回路構成図
【図４】冷却運転の制御機構部を示すブロック図
【図５】冷凍側庫内ファンの制御形態を示すタイミングチャート
【図６】実施形態２に係る冷凍側庫内ファンの制御形態を示すタイミングチャート
【図７】実施形態３に係る冷凍側庫内ファンの制御形態を示すタイミングチャート
【図８】実施形態４に係る冷凍側庫内ファンの制御形態を示すタイミングチャート
【発明を実施するための形態】
【００１６】
＜実施形態１＞
本発明の実施形態１を図１ないし図５によって説明する。この実施形態１では業務用の横型（テーブル型）冷凍冷蔵庫に適用した場合を例示している。  
図１により全体構造を説明すると、符号１０は貯蔵庫本体であって、前面に開口した横長の断熱箱体により構成され、底面の四隅に設けられた脚１１によって支持されている。貯蔵庫本体１０の内部は、後付けされる断熱性の仕切壁１２によって内部が左右に仕切られ、左側が冷凍室１３Ｆ、右側が冷蔵室１３Ｒとなっている。各室１３Ｆ，１３Ｒの前面の開口には揺動式の断熱扉（図示せず）が開閉可能に装着されている。
【００１７】
貯蔵庫本体１０の正面から見た左側部には、機械室１４が設けられている。機械室１４内の上部の奥側には、冷凍室１３Ｆとダクト１５Ｆを介して連通した断熱性の冷却器室１６Ｆが張り出し形成され、ここに冷凍側冷却器１７Ｆと冷凍側庫内ファン１８Ｆとが設けられているとともに、機械室１４の下方には、冷凍ユニット２０が出し入れ可能に収納されている。また、仕切壁１２の冷蔵室１３Ｒ側の面には、ダクト１５Ｒを張ることで冷却器室１６Ｒが形成され、ここに冷蔵側冷却器１７Ｒと冷蔵側庫内ファン１８Ｒとが設けられている。  
冷凍ユニット２０は、図２に示すように、圧縮機２１と、その圧縮機２１の冷媒吐出側に接続した凝縮器２２とを基台２３上に設置したものであり、併せて凝縮器２２を空冷するための凝縮器ファン２２Ａも搭載されている。
【００１８】
冷凍サイクルは、図３に示すように構成されている。  
凝縮器２２の出口側管路の途中に設けられた分岐部２５から、冷凍側冷媒供給路２６Ｆと冷蔵側冷媒供給路２６Ｒが分岐して配管されている。冷凍側冷媒供給路２６Ｆは、冷凍側電磁開閉弁２７Ｆと上記した冷凍側冷却器１７Ｆとが直列に設けられているとともに、冷蔵側冷媒供給路２６Ｒには、冷蔵側電磁開閉弁２７Ｒと上記した冷蔵側冷却器１７Ｒとが直列に設けられている。両冷却器１７Ｆ，１７Ｒの出口側管路は合流部２９において合流され、１本の冷媒還流路３０として圧縮機２１の吸入側に接続されている。なお構造的には、上記した合流部２９は、図２に示すように、冷凍側冷却器１７Ｆの出口に近いところに設定されている。
【００１９】
冷凍室１３Ｆと冷蔵室１３Ｒとは、それぞれ個別に庫内設定温度が設定可能とされている。また、冷凍室１３Ｆと冷蔵室１３Ｒとにはそれぞれ、庫内温度を検知する庫内サーミスタ３１Ｆ，３１Ｒが設けられており、例えば各冷却器室１６Ｆ，１６Ｒの入口部分に配されている。  
また、冷凍側冷却器１７Ｆと冷蔵側冷却器１７Ｒにはそれぞれ、除霜ヒータ３２Ｆ，３２Ｒと、除霜完了を擬制するべく冷却器温度を検知する除霜サーミスタ３３Ｆ，３３Ｒとが設けられている。  
さらに、冷凍室１３Ｆと冷蔵室１３Ｒにおけるそれぞれの前面開口部の全周に亘って、防露ヒータ３４Ｆ，３４Ｒが埋設されている。  
仕切壁１２には両室１３Ｆ，１３Ｒに臨むようにして庫内灯３５が設けられ、各室１３Ｆ，１３Ｒに設けられた断熱扉が開放されたときにドアスイッチ３６Ｆ，３６Ｒが閉じることで、庫内灯３５が点灯するようになっている。
【００２０】
基本的な冷却制御運転を、図４及び図５を参照して説明する。図４に示すような運転制御装置４０を備えており、冷凍室１３Ｆの庫内温度は、「−数１０℃」程度に、冷蔵室１３Ｒの庫内温度は「＋数℃」程度に、それぞれ庫内設定温度入力部４１Ｆ，４１Ｒによって設定される。  
冷凍室１３Ｆと冷蔵室１３Ｒのいずれか一方において、庫内サーミスタ３１Ｆ，３１Ｒで検知された庫内温度が対応する庫内設定温度の上限値（ＯＮ温度：設定温度＋１．５Ｋ℃）に達したら圧縮機２１が運転状態とされる。
【００２１】
冷凍室１３Ｆと冷蔵室１３Ｒでは、庫内温度がＯＮ温度に上昇したら対応する開閉弁２７Ｆ，２７Ｒが開放されて冷却器１７Ｆ，１７Ｒに冷媒が供給される一方、対応する庫内ファン１８Ｆ，１８Ｒが高速運転され、冷却器１７Ｆ，１７Ｒ付近で生成された冷気が各室１３Ｆ，１３Ｒに循環供給されることで冷却される（冷却サイクル）。経時後に、庫内温度が対応する庫内設定温度の下限値（ＯＦＦ温度：設定温度−２．０Ｋ℃）まで下降したら、対応する開閉弁２７Ｆ，２７Ｒが閉鎖されて冷却器１７Ｆ，１７Ｒへの冷媒の供給が停止されることで温度上昇に転じ（温度上昇サイクル）、以降、冷却サイクルと温度上昇サイクルとが繰り返されることで、冷凍室１３Ｆと冷蔵室１３Ｒの庫内温度がそれぞれほぼ設定温度に維持されるようになっている。  
なお、温度上昇サイクルの間、庫内ファン１８Ｆ，１８Ｒが低速でかつ間欠運転されることにより、各室１３Ｆ，１３Ｒ内が適宜に撹拌されて庫内温度のばらつきが抑えられるようになっている。低速間欠運転は例えば、高速時の１／２の回転数で、かつ「１５秒ＯＮ／１００秒ＯＦＦ」の間欠運転となっている。
【００２２】
冷凍室１３Ｆと冷蔵室１３Ｒの庫内温度が共にＯＦＦ温度まで下降したら、圧縮機２１が停止される。そのとき、圧縮機２１の次回の起動がしやすいように両開閉弁２７Ｆ，２７Ｒが開放状態とされるとともに、圧縮機２１の停止直後は、圧縮機２１の保護のために、３．５分の起動遅延時間（保護停止時間ｈ）が設けられるようになっている。
【００２３】
ところで上記のように圧縮機２１が停止した際、併せて両開閉弁２７Ｆ，２７Ｒが開放されるために、冷凍側冷却器１７Ｆが冷蔵側冷却器１７Ｒ（冷媒）の影響を受けて温度上昇する嫌いがある。特に本実施形態では、両冷却器１７Ｆ，１７Ｒの出口側管路の合流部２９が、冷凍側冷却器１７Ｆの出口に近いところに設定されていることでより顕著となる。そのため例えば、冷凍室１３Ｆの庫内設定温度が「−１８℃」であった場合にも、冷凍側冷却器１７Ｆの温度が、冷蔵側冷却器１７Ｒのそれに近い「−８℃程度」まで上昇する可能性もある。温度上昇サイクル中は冷凍側庫内ファン１８Ｆが低速ではあるが間欠運転されるため、庫内ファン１８Ｆが運転される度に冷凍側冷却器１７Ｆ付近の暖められた空気が冷凍室１３Ｆに送り込まれて、庫内が昇温される。  
本来、冷凍室１３Ｆの庫内温度がＯＮ温度まで上昇すれば、圧縮機２１が起動されるのであるが、上記したように圧縮機２１の停止直後は、保護停止時間ｈ（３．５分）が取られているために、その間に庫内温度のさらなる上昇が余儀なくされることになる。
【００２４】
そこで本実施形態では、圧縮機２１の停止中において庫内設定温度の低い側である冷凍室１３Ｆが過度に温度上昇することを防止するための手段が講じられている。そのため、上記した運転制御装置４０には、冷凍側庫内ファン１８Ｆの駆動制御回路４２が別途構築されている。  
駆動制御回路４２では基本的には、圧縮機２１の運転が停止したら冷凍側庫内ファン１８Ｆは低速間欠運転され、かつ圧縮機２１の停止後において圧縮機２１の保護停止時間ｈ（３．５分）中に、冷凍室１３Ｆの庫内温度がＯＮ温度（本発明の基準温度に相当）に上昇したときには、同庫内ファン１８Ｆを停止する制御を行うようになっている。
【００２５】
冷凍側庫内ファン１８Ｆの制御形態を、図５のタイミングチャートに基づいて説明する。  
圧縮機２１の停止に伴い温度上昇サイクルとなり、例えば冷凍室１３Ｆの庫内温度がＯＮ温度まで上昇したら（タイミングｔ10）、庫内ファン１８Ｆは高速運転される。これにより冷凍室１３Ｆは冷却サイクルに入り、庫内温度が次第に低下する。  
経時後、冷凍室１３Ｆの庫内温度がＯＦＦ温度まで下降したら、冷蔵室１３Ｒの庫内温度もＯＦＦ温度まで下降していることを条件として圧縮機２１が停止され（タイミングｔ11）、このとき冷凍側庫内ファン１８Ｆは低速間欠運転に切り換えられる。冷凍室１３Ｆは温度上昇サイクルに入る。
【００２６】
冷凍室１３Ｆの庫内温度がＯＮ温度まで上昇したとき（タイミングｔ12）、未だ圧縮機２１の保護停止時間ｈ（３．５分）内にあれば、同タイミングｔ12において、庫内ファン１８Ｆが停止される。そののち、保護停止時間ｈが経過したところで（タイミングｔ13）、圧縮機２１の運転が開始され、冷却サイクルに入る。  
ここで上記した理由により、圧縮機２１の停止中（タイミングｔ11〜ｔ13）は、冷凍側冷却器１７Ｆが温度上昇する可能性があり、この間庫内ファン１８Ｆは低速ながらも間欠運転されていることで冷凍室１３Ｆが比較的早期に温度上昇する。冷凍室１３Ｆの庫内温度がＯＮ温度に達したときは、本来圧縮機２１が起動されるのであるが、上記したように保護停止時間ｈ中の場合はそれが経過するまで圧縮機２１は起動されない。そのため、ＯＮ温度に達した後も庫内ファン１８Ｆが低速間欠運転が継続されると、同図の鎖線に示すように、冷凍室１３Ｆの温度上昇がさらに進むところを、この実施形態では、ＯＮ温度に達したところで庫内ファン１８Ｆの運転が停止されるから、同図の実線に示すように、冷凍室１３Ｆの温度上昇が抑制されるところとなる。
【００２７】
圧縮機２１が停止してから、圧縮機２１の保護停止時間ｈ中に冷凍室１３Ｆの庫内温度がＯＮ温度にまで上昇しなかったら、冷凍側庫内ファン１８Ｆの低速間欠運転が継続され（タイミングｔ10よりも前の状態）、冷凍室１３Ｆの庫内温度がＯＮ温度に上昇したところで（タイミングｔ10）、圧縮機２１が直ちに再運転される。  
以上により、圧縮機２１の停止中において冷凍室１３Ｆが過度に温度上昇することが防止される。
【００２８】
なお、圧縮機２１の保護停止時間ｈ中は、冷凍側庫内ファン１８Ｆを停止することも考えられるが、そうすると冷凍室１３Ｆ内が撹拌されないために、庫内サーミスタ３１Ｆによる庫内温度の検知の信頼性に欠け、保護停止時間ｈの経過後に圧縮機２１を起動すべきか否かの判断が正確にできない。その結果、初めは庫内ファン１８Ｆを運転することで庫内検知温度の信頼性を確保でき、保護停止時間ｈ中に庫内温度がＯＮ温度に達すれば、保護停止時間ｈの経過後には直ちに圧縮機２１を起動して冷却すべきであると判断できる。よって、保護停止時間ｈの少なくとも初めの期間では、冷凍側庫内ファン１８Ｆの低速間欠運転は必要である。  
すなわちこの実施形態によれば、圧縮機２１の再起動のタイミングの信頼性を担保した上で、圧縮機２１の停止中において冷凍室１３Ｆが過度に温度上昇するのを防止することができる。
【００２９】
（変形例）
実施形態１では、圧縮機２１の停止後において圧縮機２１の保護停止時間ｈ中に、冷凍室１３Ｆの庫内温度がＯＮ温度（基準温度）まで上昇したときに同庫内ファン１８Ｆを停止する制御を行うようにしたが、上記の基準温度は、ＯＮ温度よりも低い別の温度であってもよい。
【００３０】
＜実施形態２＞
次に、本発明の実施形態２を図６によって説明する。この実施形態２は、上記実施形態１に例示した冷凍側庫内ファン１８Ｆの駆動制御回路について、さらに別の機能を付加したものである。  
上記実施形態１の制御時において、圧縮機２１の保護停止時間ｈの経過後であっても、冷凍側冷却器１７Ｆは未だ高温である可能性があり、その状態で圧縮機２１を再起動し併せて冷凍側庫内ファン１８Ｆを高速運転すると、冷凍室１３Ｆに高温空気が送られて温度上昇を招くおそれがある。
【００３１】
この実施形態２の駆動制御回路には、圧縮機２１の保護停止時間ｈが経過して圧縮機２１が再起動したのちの所定時間ｓ（３０秒）は、庫内ファン１８Ｆを停止状態に留める機能が付加されている。  
制御形態を、図６のタイミングチャートに基づいて説明すると、冷凍室１３Ｆの庫内温度がＯＮ温度まで上昇したとき（タイミングｔ12）が、圧縮機２１の保護停止時間ｈ内にあって、同タイミングｔ12において庫内ファン１８Ｆが停止制御されたのち、保護停止時間ｈが経過したところで（タイミングｔ13）、圧縮機２１の運転が開始されるが、同タイミングｔ13から３０秒間は、庫内ファン１８Ｆが引き続いて停止状態に留められる（予冷運転）。３０秒が経過したら（タイミングｔ14）、庫内ファン１８Ｆが高速運転されて、実質的な冷却サイクルに入る。その他の制御形態は、実施形態１と同様である。
【００３２】
この実施形態２では、圧縮機２１が再起動されて冷却サイクルに入ってからの所定時間ｓ（３０秒）は、冷凍側庫内ファン１８Ｆを停止するようにし、すなわち同時間ｓ内は冷却器１７Ｆの冷却に専念させる予冷を行うようにしている。そのため、同予冷を行わず、圧縮機２１の起動と同時に庫内ファン１８Ｆを高速運転した場合は、同図の鎖線に示すように、冷凍室１３Ｆの急激な温度上昇を招くおそれがあるところを、予冷を行うことで暖気の送り込みが抑制され、冷凍室１３Ｆの温度上昇をさらに抑えることができる。
【００３３】
（変形例）
上記実施形態２では、予冷を行う所定時間ｓを「３０秒」としたが、他の任意の時間であってもよい。
【００３４】
＜実施形態３＞
図７は、本発明の実施形態３を示す。この実施形態３の冷凍側庫内ファン１８Ｆの制御形態は、上記実施形態１の変形例ともいうべきものである。  
実施形態１では、冷凍室１３Ｆの庫内設定温度が「−１８℃」に設定されている場合において、圧縮機２１が停止した際には、冷凍側冷却器１７Ｆの温度が「−８℃程度」まで上昇する可能性があって、その際に冷凍側庫内ファン１８Ｆが低速間欠運転されると、高温空気が冷凍室１３Ｆに送り込まれて冷凍室１３Ｆ（設定温度が「−１８℃」）が過度に温度上昇するおそれがあるため、それを回避するために庫内ファン１８Ｆの運転を停止制御するようにしたものである。
【００３５】
一方、冷凍室１３Ｆの庫内設定温度が、設定可能な温度範囲の上限である「−７℃」に設定されていると、仮に冷凍側冷却器１７Ｆの温度が「−８℃程度」まで上昇したとしても、庫内ファン１８Ｆの運転に伴い、相対的に低温の空気を冷凍室１３Ｆに送り込むことが可能となる。  
そこでこの実施形態３の駆動制御回路では、冷凍側冷却器１７Ｆに備えられた除霜サーミスタ３３Ｆで検知された冷却器温度と、庫内設定温度に基づく圧縮機２１のＯＮ温度（本発明の第１判断温度に相当）とを比較する比較部を備え、同比較部において、「冷却器温度≧ＯＮ温度」であったら、実施形態１と同様の庫内ファン１８Ｆの制御を実行し、「冷却器温度＜ＯＮ温度」であったら、庫内ファン１８Ｆの低速間欠運転を実行する機能を備えている。
【００３６】
実施形態３の制御形態を図７のタイミングチャートに基づいて説明する。  
圧縮機２１の停止に伴い温度上昇サイクルとなり、例えば冷凍室１３Ｆの庫内温度がＯＮ温度まで上昇したら（タイミングｔ20）、庫内ファン１８Ｆは高速運転される。これにより冷凍室１３Ｆは冷却サイクルに入り、庫内温度が次第に低下する。  
経時後、冷凍室１３Ｆの庫内温度がＯＦＦ温度まで下降したら、冷蔵室１３Ｒの庫内温度もＯＦＦ温度まで下降していることを条件として圧縮機２１が停止され（タイミングｔ21）、このとき冷凍側庫内ファン１８Ｆは低速間欠運転に切り換えられる。冷凍室１３Ｆは温度上昇サイクルに入る。
【００３７】
冷凍室１３Ｆの庫内温度がＯＮ温度まで上昇したとき（タイミングｔ22）、未だ圧縮機２１の保護停止時間ｈ内にあれば、同タイミングｔ22において、冷凍側冷却器温度と冷凍側のＯＮ温度が比較され、ここでは、「冷却器温度≧ＯＮ温度」であるから、庫内ファン１８Ｆが停止される。そののち、保護停止時間ｈが経過したところで（タイミングｔ23）、圧縮機２１の運転が開始されて冷却サイクルに入る。
【００３８】
再び、冷凍室１３Ｆの庫内温度がＯＦＦ温度まで下降したら（タイミングｔ24）、冷蔵室１３Ｒの庫内温度もＯＦＦ温度まで下降していることを条件として圧縮機２１が停止され、このとき冷凍側庫内ファン１８Ｆは低速間欠運転に切り換えられ、冷凍室１３Ｆは温度上昇サイクルに入る。冷凍室１３Ｆの庫内温度がＯＮ温度まで上昇したとき（タイミングｔ25）、未だ圧縮機２１の保護停止時間ｈ内にあれば、同タイミングｔ25において、冷凍側冷却器温度と冷凍側ＯＮ温度が比較され、ここでは、「冷却器温度＜ＯＮ温度」であるから、庫内ファン１８Ｆの低速間欠運転が継続される。そののち、保護停止時間ｈが経過したところで（タイミングｔ26）、圧縮機２１の運転が開始されて冷却サイクルに入る。
【００３９】
このように実施形態３によれば、圧縮機２１の保護停止時間ｈ中の冷凍側庫内ファン１８Ｆの運転制御を行うに際し、冷凍側冷却器１７Ｆの温度が上昇してもなお、冷凍側ＯＮ温度よりも低い場合には、庫内ファン１８Ｆを停止することなく低速間欠運転を継続するようにしたから、相対的に低温の冷気を冷凍室１３Ｆに送り込むことができて、冷凍室１３Ｆの温度上昇の抑制に寄与することができる。
【００４０】
（変形例）
（１）実施形態３では、冷凍室１３Ｆの庫内温度がＯＮ温度（冷却を開始する温度）に達したときに、冷凍側冷却器１７Ｆの温度もＯＮ温度（第１判断温度）に達しているか否かを判断して、冷凍側庫内ファン１８Ｆを停止するか、低速間欠運転を継続するかを選択したのであるが、第１判断温度は、ＯＮ温度に限らず、例えば冷凍室１３Ｆの庫内設定温度等、他の温度であってもよい。
【００４１】
（２）圧縮機２１が停止したときの、冷凍側冷却器１７Ｆの最高温度や途中の経過温度が実験により把握されておれば、冷凍側冷却器１７Ｆの温度は実際に計測した温度ではなく、「予測温度」として代替することができる。  
したがって比較部において、「予測温度≧ＯＮ温度」であったら、実施形態１と同様の庫内ファン１８Ｆの制御を実行し、「予測温度＜ＯＮ温度」であったら、庫内ファン１８Ｆの低速間欠運転を実行すればよい。  
この変形例によれば、除霜サーミスタを装備していないものについても対応可能である。なお、本実施形態の冷凍冷蔵庫の場合は、周囲温度が「３０℃」の場合は、冷凍側冷却器１７Ｆの温度は「−８℃」まで上昇すると解っている。ただし、この予測温度は、周囲温度が変われば補正を掛けるべきであり、また冷凍回路が変更になれば、当然に数値も変わるものである。
【００４２】
（３）上記の変形例（２）において、冷凍側冷却器１７Ｆの予測温度と比較する対照温度は、ＯＮ温度に限らず、例えば冷凍室１３Ｆの庫内設定温度等、他の温度であってもよい。
【００４３】
＜実施形態４＞
図８は、本発明の実施形態４を示す。この実施形態４の冷凍側庫内ファン１８Ｆの制御形態は、上記実施形態２に例示した「予冷制御」に改良を加えたものである。  
実施形態２では、圧縮機２１が再起動されて冷却サイクルに入ってからの所定時間ｓ（３０秒）は、冷凍側庫内ファン１８Ｆを停止するようにし、すなわち同時間ｓ内は冷凍側冷却器１７Ｆの冷却に専念させる予冷を行う機能を付加することで、冷凍室１３Ｆの温度上昇をさらに抑えるようにしていた。
【００４４】
しかしながら、上記実施形態３で説明したと同様に、冷凍室１３Ｆの庫内設定温度が、設定可能な温度範囲の上限である「−７℃」に設定されていると、仮に冷凍側冷却器１７Ｆの温度が「−８℃程度」まで上昇したとしても、冷凍室１３Ｆの庫内温度よりも低いことになる。この場合は、圧縮機２１の再起動と同時に冷凍側庫内ファン１８Ｆを運転すれば、直ちに冷凍室１３Ｆを冷却できるにも拘わらず、冷却サイクルの開始のタイミングを遅らせる結果となる。
【００４５】
そこでこの実施形態４の駆動制御回路では、冷凍側冷却器１７Ｆに備えられた除霜サーミスタ３３Ｆで検知された冷却器温度と、冷凍側庫内サーミスタ３１Ｆで検知された冷凍室１３Ｆの庫内温度（本発明の第２判断温度に相当）とを比較する比較部を備え、同比較部において、「冷却器温度≧庫内温度」であったら、実施形態２と同様に予冷制御を実行し、「冷却器温度＜庫内温度」であったら、予冷を行うことなく直ちに冷凍側庫内ファン１８Ｆの高速運転を実行する機能を備えている。
【００４６】
実施形態４の制御形態を図８のタイミングチャートに基づいて説明する。なお、同タイミングチャートでは、制御の理解がしやすいように、実施形態１等に示した、圧縮機２１の保護停止時間ｈ中に冷凍側ＯＮ温度に上昇したときには冷凍側庫内ファン１８Ｆを停止する制御は加味されていない。  
圧縮機２１の保護停止時間ｈが経過して圧縮機２１の運転が開始される際（タイミングｔ30）、冷凍側冷却器温度と冷凍側庫内温度が比較され、ここで、「冷却器温度≧庫内温度」であると、冷凍側庫内ファン１８Ｆは３０秒間停止されすなわち予冷が実行され、３０秒が経過したら（タイミングｔ31）、庫内ファン１８Ｆが高速運転されて、実質的な冷却サイクルに入る。  
一方、圧縮機２１の保護停止時間ｈが経過して圧縮機２１の運転が開始される別のタイミングのとき（タイミングｔ32）、「冷却器温度＜庫内温度」であると、予冷を行うことなく直ちに冷凍側庫内ファン１８Ｆが高速運転される。
【００４７】
このように実施形態４によれば、冷凍側冷却器１７Ｆの温度が上昇してもなお冷凍側庫内温度よりも低い場合には、圧縮機２１の保護停止時間ｈが経過して圧縮機２１を再起動する場合において、冷凍側庫内ファン１８Ｆを所定時間停止させるいわゆる予冷を行うことなく、庫内ファン１８Ｆを同時に運転するようにしたから、冷凍室１３Ｆ側が早期に実質的な冷却サイクルに入ることができる。
【００４８】
（変形例）
（１）実施形態４では、冷凍室１３Ｆの庫内温度がＯＮ温度（冷却を開始する温度）に達し、かつ圧縮機２１の保護停止時間が終了して冷却サイクルに入ったときに、冷凍側冷却器１７Ｆの温度と冷凍室１３Ｆの庫内温度（第２判断温度）とを比較して予冷を行うか否かを選択したのであるが、冷却器温度と比較する第２判断温度は、冷凍室１３Ｆの庫内温度に限らず、例えば冷凍室１３Ｆの庫内設定温度等、他の温度であってもよい。
【００４９】
（２）圧縮機２１の停止中において、冷凍側冷却器１７Ｆの温度がどこまで上昇するか実験により把握されておれば、冷凍側冷却器１７Ｆの温度は実際に計測した温度ではなく、「固定温度」として代替することができる。  
したがって比較部において、「固定温度≧庫内温度」であったら、実施形態２と同様に予冷制御を実行し、「固定温度＜庫内温度」であったら、予冷を行うことなく直ちに冷凍側庫内ファン１８Ｆの高速運転を実行すればよい。  
この変形例によれば、除霜サーミスタを装備していないものについても対応可能である。なお、本実施形態の冷凍冷蔵庫の場合は、周囲温度が「３０℃」の場合は、冷凍側冷却器１７Ｆの温度は「−８℃」まで上昇すると解っている。ただし、この固定温度は、周囲温度が変われば補正を掛けるべきであり、また冷凍回路が変更になれば、当然に数値も変わるものである。
【００５０】
（３）上記変形例（２）において、冷凍側冷却器１７Ｆの固定温度と比較する対照温度は、冷凍室１３Ｆの庫内温度に限らず、例えば冷凍室１３Ｆの庫内設定温度等、他の温度であってもよい。
【００５１】
＜他の実施形態＞
本発明は上記記述及び図面によって説明した実施形態に限定されるものではなく、例えば次のような実施形態も本発明の技術的範囲に含まれる。  
（１）上記実施形態の冷凍冷蔵庫では、冷却制御運転中において、全貯蔵室（冷凍室と冷蔵室）の庫内検知温度がそれぞれ対応する庫内設定温度の下限値に達した場合には、圧縮機を停止しかつ全開閉弁（冷凍側の開閉弁と冷蔵側の開閉弁）を開放状態とする形態を例示したが、機種によっては、両貯蔵室の庫内検知温度が庫内設定温度の下限値に達して圧縮機が停止した直後の僅かな時間、冷蔵側の開閉弁を閉じ、その後に両開閉弁を開放する形態を採る。これは、圧縮機の停止直後に冷蔵側の開閉弁を開放すると、冷媒が冷蔵側冷却器に流入して蒸発し、冷蔵室の冷え過ぎ招くおそれがあってそれを防止するためである。  
上記形態を採るものであっても、僅かな時間の遅れはあるものの圧縮機の停止後に両開閉弁が開放され、冷凍側の冷却器が冷蔵側の冷却器（冷媒）の影響を受けて温度上昇するおそれはあるから、このような一時的に冷蔵側の開閉弁を閉じる形態のものも、本発明の請求項１に記載されたところの、「全貯蔵室の庫内検知温度がそれぞれ対応する庫内設定温度の下限値に達した場合には、圧縮機を停止しかつ全開閉弁を開放状態とする」構成に含まれるものである。  
（２）上記実施形態では、業務用の横型冷凍冷蔵庫を例示したが、縦型冷凍冷蔵庫についても、本発明は同様に適用することができる。  
（３）上記各実施形態では２つの貯蔵室を備えたものを例示したが、互いに高低異なった庫内設定温度が設定される３以上の貯蔵室が設けられた冷却貯蔵庫全般について、適用可能である。
【符号の説明】
【００５２】
１３Ｆ…冷凍室（庫内設定温度が低い側の貯蔵室）
１３Ｒ…冷蔵室
２０…冷凍ユニット
２１…圧縮機
１７Ｆ，１７Ｒ…冷却器
１８Ｆ，１８Ｒ…庫内ファン
２７Ｆ，２７Ｒ…電磁開閉弁
３１Ｆ，３１Ｒ…庫内サーミスタ（庫内温度センサ）
４０…運転制御装置
４１…庫内設定温度入力部
４２…庫内ファン駆動制御回路
ｈ…保護停止時間
【図１】
0005743866.tif 000002
【図２】
0005743866.tif 000003
【図３】
0005743866.tif 000004
【図４】
0005743866.tif 000005
【図５】
0005743866.tif 000006
【図６】
0005743866.tif 000007
【図７】
0005743866.tif 000008
【図８】
0005743866.tif 000009